(57)【要約】【課題】  ＦＡＸ画像データの画面表示を、システム構築なしに、ファクシミリ装置にて扱うことができるようにする。【解決手段】  ＬＣＤを有する操作パネル１０ａと、操作パネル制御部１０ｂを備えたファクシミリ装置において、ＬＣＤに合わせてＦＡＸデータを再度伸長圧縮する伸長圧縮手段と操作パネル制御部で伸長する伸長手段を有する。【選択図】  図２
2006025285.tif 000002
【特許請求の範囲】
【請求項１】
ＬＣＤを有する操作パネルと、該操作パネルを制御する操作パネル制御部を備えたファクシミリ装置において、ＬＣＤに合わせてＦＡＸデータを伸長圧縮する伸長圧縮手段と、前記操作パネル制御部で伸長する伸長手段とを備え、前記操作パネル表示部にＦＡＸ画像を表示できるようにしたことを特徴とするファクシミリ装置。
【請求項２】
請求項１に記載のファクシミリ装置において、ＦＡＸ受信ファイルの表示をページ管理すると共に、ＦＡＸ受信ファイルの表示を画面ごと管理する管理手段を備えていることを特徴とするファクシミリ装置。
【請求項３】
請求項１または請求項２に記載のファクシミリ装置において、前記管理手段は、画面境界のＦＡＸデータを管理することを特徴とするファクシミリ装置。
【請求項４】
請求項１ないし請求項３のいずれか一項に記載のファクシミリ装置において、外部メディアを接続する接続手段と、該外部メディアのデータを管理するデータ管理手段と備え、ＦＡＸ蓄積データを前記外部メディアに保存することを特徴とするファクシミリ装置。
【請求項５】
請求項４に記載のファクシミリ装置において、前記外部メディアからデータの読み取りを制御する読み取り制御手段と、前記管理情報の一覧を表示する表示手段と、蓄積されたデータの再表示を制御する再表示制御手段とを備え、前記外部メディアに保存されたデータを再度表示することを特徴とするファクシミリ装置。
【発明の詳細な説明】
【技術分野】
【０００１】
本発明は、複合装置を含むファクシミリ通信装置に関する。
【背景技術】
【０００２】
特許文献１は、読取部で読み取った画像データを接続するパソコンの表示部へ転送することができる。また、パソコンで入力されたデータを記録部でプリントアウトできる。また、特許文献２は、アプリケーションごとに使用する画面データを、操作部に設けたＦＲＯＭの、異なるセクタに記憶している。
【特許文献１】特開平０７−０１５５５７号公報
【特許文献２】特開２００３−３２４２４公報
【発明の開示】
【発明が解決しようとする課題】
【０００３】
ＦＡＸ画像データの画面表示は、以下の理由で通信装置にはあまり行われていない。
一つにはＦＡＸで送受信されるデータがＦＡＸで決められた圧縮形式にて圧縮されている。また、ＦＡＸ画像データがｂｉｔｍａｐデータであり、生データはデータ量が大きい。さらにはＡ４サイズなど紙のサイズであるため、１画面では表示しきれない。
また、パソコンと接続し、パソコンのディスプレイに表示した提案として、特許文献１は、読取部で読み取った画像データを接続するパソコンの表示部へ転送したり、パソコンで入力されたデータを記録部でプリントアウトしたりする、ＰＣ−ＦＡＸ機能として一般的である。
ＬＡＮなどで構築されたパソコンネットワークでは一般的であるが、重要なＦＡＸ画像だけならネットワーク構築を図るだろうが、利用する人の規模が小さく、数人で利用するだけであったり、比較的一読すれば事足りる内容であったりする場合には、高価でわずらわしい。
複合装置では複数のアプリケーションがあるため、従来から画面を切り替えたりしていた。特許文献２は、アプリケーションごとに使用する画面データを、操作部に設けたＦＲＯＭの異なるセクタに記憶していた。複合装置では比較的装置のサイズが大きくなるため制御基板と操作部の信号線距離が長くなるため、伝送するデータを極力なくす提案であった。
本発明は、ＦＡＸ画像データの画面表示を、システム構築なしに、ファクシミリ装置にて扱うことができるようにすることを目的とする。また、フロアタイプの比較的大きな装置においても、高価な高速伝送なしに使い勝手のいい表示を行うことも目的とする。
【課題を解決するための手段】
【０００４】
上記目的を達成するために、請求項１記載の発明は、ＬＣＤを有する操作パネルと、該操作パネルを制御する操作パネル制御部を備えたファクシミリ装置において、ＬＣＤに合わせてＦＡＸデータを伸長圧縮する伸長圧縮手段と、前記操作パネル制御部で伸長する伸長手段とを備え、前記操作パネル表示部にＦＡＸ画像を表示できるようにしたことを特徴とする。
請求項２記載の発明は、請求項１に記載のファクシミリ装置において、ＦＡＸ受信ファイルの表示をページ管理すると共に、ＦＡＸ受信ファイルの表示を画面ごと管理する管理手段を備えていることを特徴とする。
請求項３記載の発明は、請求項１または請求項２に記載のファクシミリ装置において、前記管理手段は画面境界のＦＡＸデータを管理することを特徴とする。
請求項４記載の発明は、請求項１ないし請求項３のいずれか一項に記載のファクシミリ装置において、外部メディアを接続する接続手段と、該外部メディアのデータを管理するデータ管理手段とを備え、ＦＡＸ蓄積データを前記外部メディアに保存することを特徴とする。
請求項５記載の発明は、請求項４に記載のファクシミリ装置において、前記外部メディアのデータの管理情報を読み取る読み取り手段と、前記管理情報の一覧を表示する表示手段と、蓄積されたデータの再表示する再表示手段とを備え、前記外部メディアに保存されたデータを再度表示することを特徴とする。
【発明の効果】
【０００５】
請求項１のファクシミリ装置においては、画面サイズに応じたＦＡＸ受信画像表示を比較的低速のデータ通信によって操作部に表示しているので、安価な装置でＦＡＸビューワ機能が達成でき、紙、電力の節減ができる。
請求項２のファクシミリ装置においては、画面切り替えが行えるようにしているので、使い勝手のいいＦＡＸビューワ機能を達成できる。
請求項３のファクシミリ装置においては、画面切り替え時に重なる部分を設けているので、画面端での画情報も見やすくできる。
請求項４のファクシミリ装置においては、表示データをメディアに保存したり、装置のデータを削除したりできるので、秘匿性のあるＦＡＸ受信を装置に蓄積しておかず、個人保管できる。
請求項５のファクシミリ装置においては、メディアのデータを同考案の装置において再度表示させることができるので、持ち運びや、保管データとしてメディアを有効活用できる。
【発明を実施するための最良の形態】
【０００６】
以下、本発明の実施の形態を図面に従って説明する。
図１は本発明の実施の形態に係るファクシミリ装置の機能ブロック図である。本ファクシミリ装置は、コピー制御部１、通信制御部２及びこれらに直流電圧を供給する電源供給部３から構成される。コピー制御部１は操作パネルの制御、スキャナ読み込み、プリント出力を行い、通信制御部２は各種通信の制御部を介してデータ送受信全般の制御を行う。
コピー制御部１にはコピー機能及び装置全般を制御するメインＣＰＵ４が設けられ、通信制御部２には通信制御を行いコピー制御部１とのデータのやり取りを行う通信制御コントローラ５が設けられ、これらはブリッジ６により接続されている。コピー制御部１にはプログラムを格納した第１のＲＯＭ７ａ、情報を蓄積する第１のＲＡＭ８ａ、データ処理に用いる第１のｗｏｒｋＲＡＭ９ａが、通信制御部２にはプログラムを格納した第２のＲＯＭ７ｂ、情報を蓄積する第２のＲＡＭ８ｂ、データ処理に用いる第２のｗｏｒｋＲＡＭ９ｂがそれぞれ設けられている。この場合、第１及び第２のＲＡＭ８ａ、８ｂは１次電池等でバックアップされ、電源ＯＦＦ時にも内容が保持される。
コピー制御部１には、操作パネル１０ａとその制御を行う操作パネル制御部１０ｂを備え、主にメインＣＰＵ４により制御が行われている。通信制御部２からの制御は直接またはメインＣＰＵ４を介して行われる。また、スキャナ１１ａとその制御部であるスキャナ制御部１１ｂ、プロッタ１２ａとその制御部であるプロッタ制御部１２ｂが設けられている。また、各種ＩＯ１３ａとその制御部であるＩＯ制御部１３ｂが設けられている。ＩＯとしては、用紙、ドア、ヒータ温度などのセンサやモータ類などがある。また、ファイリング機能のため、ファイリングに適した圧縮伸長を行う圧縮伸長制御部１４ａと蓄積用大容量メモリ１４ｂが設けられている。
コピー制御部１と通信制御部２との画像データは、ブリッジ６を介して第１のｗｏｒｋＲＡＭ９ａと第２のｗｏｒｋＲＡＭ９ｂとの間で、ページ単位、ブロック単位、あるいはライン単位で行われる。
【０００７】
通信制御部２には、通信ポートとして各種インターフェースがあり、それぞれの網と接続し通信ができる。アナログ回路網のインターフェースとしてアナログ回線ＩＦ１７ａがあり、Ｇ３ｆａｘモデム１７ｂを回線と接続している。デジタル回線は２Ｂ＋Ｄで、電気的インターフェースとしてデジタル回線ＩＦ１８ａがあり、Ｇ４ファクシミリ通信プロトコルやＩＳＤＮプロトコルを制御したり、コーディックを行ったりするデジタル回線制御部１８ｂを有する。
これら通信ポートは通信制御コントローラ５で一元管理され、送受信されるデータに関しては、通信データ処理部１５において通信ポートに応じた圧縮伸長やデジタル信号処理が第２のｗｏｒｋＲＡＭ９ｂを使用して行われる。各種通信データを蓄積する通信データ蓄積メモリ１６も有する。
電源供給部３では、電源コード１９からＡＣ電源供給を得て、使用する直流電源が直流電源供給部２０で生成される。
図２は操作パネルと操作パネル制御部のブロック図である。操作パネル１０ａは、大型ＬＣＤ１０ｄとそれに貼られたタッチパネル１０ｃにて構成されている。操作パネル制御部１０ｂは、操作部コントローラ２１ａがローカルバスに接続され、ＲＯＭ２１ｂ、ＲＡＭ２１ｃを配置している。
ローカルバスにはＬＣＤのローカラムデータを制御してＬＣＤ表示を行うＬＣＤＣ（ＬＣＤコントローラ）２２ａが接続されている。ＬＣＤＣ２２ａは表示用のビデオＲＡＭ２２ｂをワーク用として備えている。上述のローカルバスには、ＳＤＲＡＭなどのメディア２３ｂを接続できるコネクタ２３ａも装備している。
【０００８】
以下、本発明の実施の形態としての動作について説明する。
［第１の実施の形態］
図２において、ＦＡＸ受信したデータはＭＭＲ圧縮などのＦＡＸ圧縮データとして通信データ蓄積メモリ１６に親展受信、秘匿受信など一般的な機能を用いて蓄積されるものとする。オペレータにより、該蓄積ファイルを表示する旨の操作が行われたとする。
メインＣＰＵ４がその旨を通信制御コントローラ５に通知すると、ＬＣＤの大きさ、解像度に応じて、該蓄積ファイルを１画面ごとに伸長圧縮し直し、操作部コントローラ２１ａに転送する。ＬＣＤの大きさ、解像度は装置に一義的に定まっているため通信制御コントローラ２１ａは認識している。
例えば、ＬＣＤサイズ２１０＊２９７ｍｍ、小さい字（２００ｄｐｉスクエア）に対し、ＬＣＤサイズ１４０＊７０ｍｍ、１００ｄｐｉであれば、横サイズを合わせ、画像データを（１４０／２１０）＊（１００／２００）＝１／３に縮小する。
画面としては縦方向に２９７＊（１４０／２１０）／７０＝２．８３画面になり、上から最初の１画面をＭＭＲ圧縮で伸長圧縮し、操作部コントローラ２１ａに転送する。データの縮小は、通信データ処理部１５にて行う。画面の切り抜きは、画面数から、２９７／２５．４＊２００／２．８３＝８２６ラインと算出され、伸長圧縮時にこのライン数だけ動作させる。
操作部コントローラ２１ａには、少なくともＭＭＲデータを伸長するロジックを搭載している。伸長データは比較的ＬＣＤ表示に向いたピクセルデータであるが、ＬＣＤＣ２２ａにあった手順にてデータ渡しを行い、ＬＣＤ１０ｄに表示する。画面表示の例を図３に示す。ＬＣＤ画面２４の一部にＦＡＸ表示領域２５がある。
【０００９】
［第２の実施の形態］
次に第２の実施の形態について説明する。上述の計算式より、ＦＡＸ受信のサイズ、解像度により、受信画について、縮小率、上述の画面数が判別できる。蓄積メモリ容量を浪費しないため、表示の旨の操作があったとき画面データを作成する。画面表示の例を、図４に示す。受信ファイルが複数ページあった場合のページタグ２６ａ、２６ｂや画面のスクロールキー２５がある（これらはタッチパネルにより画面を押下すると機能する）。
表示の旨の操作があった場合、１ページ目（Ｐ．１）の先頭画面をＦＡＸ表示領域２５に上記した第１の実施の形態の動作により表示する。次にページ切り替えのため、４ページ（Ｐ．４）のタグが押下された場合には、ＦＡＸ受信蓄積データの４ページを同様にして表示する。さらに、スクロールキーが押下された場合には４ページの２画面目を伸長圧縮し、操作部コントローラ２１ａに転送する。
通信制御コントローラ（管理手段）５では、上述の１画面目の転送時に、最終伸長したデータを記憶し（メモリ位置またはヘッダーを書き込んでもいい）、また伸長圧縮に必要な参照ラインデータを一義的に第２のｗｏｒｋＲＡＭ９ｂに保存しておき、それを利用して、次の画面の圧縮データを転送する（第１の実施の形態では、次の８２６ライン分である）。
［第３の実施の形態］
次に、第３の実施の形態について説明する。第２の実施の形態のスクロール時において、８２６ラインごと、２．８３画面に区切っているが、例えば５ｍｍ（８２６／７０＊５＝５９ライン）は画面ごとに重ねて表示する。
第２の実施の形態の説明において、８２６−５９＝７６７ライン目のデータを記憶し（メモリ位置またはヘッダーを書き込んでもいい）８２６ラインまで伸長圧縮して転送する。スクロールキーが押下された場合には、簡単に７６７ライン目から８２６ライン分伸長圧縮することにする。
【００１０】
［第４の実施の形態］
第４の実施の形態について説明する。図２に示したように、装置にはＳＤＲＡＭなどのメディア２３ｂが装着されるものとする。表示の旨の操作があった場合、操作部コントローラ２１ａはコネクタ２３ａにメディア２３ｂが装着されているかを確認し、操作の通知とともに、メディア装着を通信制御コントローラ（管理手段）５に伝える。
そのとき、通信制御コントローラ５は、まずＦＡＸ通信情報を操作部コントローラ２１ａに転送し、メディアの空き領域に書き込むよう指示する。次に、Ｐ．１の１画面目、２画面目の識別ヘッダーを付して、画面表示用の該圧縮データを転送する。操作部コントローラ２１ａは表示とは非同期に、メディア２３ｂのＦＡＸ通信情報とともに格納する。
全画面を表示した場合にはメディア２３ｂへの書き込みは終了するが、表示画面から抜けるとき残りの画面があれば同様にメディア２３ｂに格納する。また、メディア２３ｂに蓄積したとき、通信データ蓄積メモリ１６のデータを消去できるようにしてもいい。
［第５の実施の形態］
第５の実施の形態について説明する。第４の実施の形態において、通信データ蓄積メモリ１６から受信ファイルを選んで表示する操作画面において、メディア２３ｂからも選択できるボタン等を準備しておく。メディア２３ｂを選択したら、蓄積されているいくつかのＦＡＸ情報を閲覧、選択できるようにする。
操作部コントローラ２１ａは、メディアの情報を読み取り制御を行う。そして、通信制御コントローラ５の制御に基づいて通信制御部５側へ転送すると、一般的にＦＡＸ蓄積情報検索画面と同様の表示にデータを埋め込み、メインＣＰＵ４（再表示制御手段）へ通知する。予め決められた画面と通知された情報を表示する。
【図面の簡単な説明】
【００１１】
【図１】本発明の実施の形態に係るファクシミリ装置の機能ブロック図。
【図２】操作パネルと操作パネル制御部のブロック図。
【図３】画像表示の例（その１）を示す図。
【図４】画像表示の例（その２）を示す図。
【符号の説明】
【００１２】
１０ａ  操作パネル、１０ｂ  操作パネル制御部
【図１】
2006025285.tif 000003
【図２】
2006025285.tif 000004
【図３】
2006025285.tif 000005
【図４】
2006025285.tif 000006